【事件の表示】
　特願２０１０−２８８６０３「入力装置および入力装置の制御方法」拒絶査定不服審判事件〔平成２３年　３月２４日出願公開、特開２０１１−　６０３３３〕について、次のとおり審決する。
【結　論】
　本件審判の請求は、成り立たない。
【理　由】
【第１】経緯
　
［１］手続の経緯
　
本願は、平成２１年７月２９日に出願した特願２００９−１７７０７４号（以下、「原出願」という）の一部を、平成２２年１２月２４日に新たな特許出願（特願２０１０−２８８６０３号）としたものであり、手続きの概要は以下の通りである。
　
　拒絶理由通知　　　　　　　：平成２４年１２月２１日（起案日）
　意見書　　　　　　　　　　：平成２５年　３月１１日
　手続補正　　　　　　　　　：平成２５年　３月１１日　
　拒絶査定　　　　　　　　　：平成２５年　５月１７日（起案日）　
　拒絶査定不服審判請求　　　：平成２５年　８月１６日
　手続補正　　　　　　　　　：平成２５年　８月１６日
　前置審査報告　　　　　　　：平成２５年　９月　５日　
　
［２］査定
　原審での査定の理由は、平成２４年１２月２１日付け拒絶理由通知書に記載した理由２とするものであり，概略，以下のとおりである。
　
〈査定の理由の概略〉
　本願の請求項１、２に係る発明は，下記の刊行物１〜３に記載された発明、及び周知技術（下記参照）に基づいて当業者が容易に発明をすることができたものであるから，特許法第２９条第２項の規定により，特許を受けることができない。
　　　　　記（刊行物一覧）
　刊行物１：特開２００９−５３８５７号公報
　刊行物２：特開平０９−２６９８６１号公報
　刊行物３：特開平１０−２９３６４４号公報
　〈周知技術を示す刊行物〉　
　刊行物４：特開２００４−７０９２０号公報
　刊行物５：特開２００４−１９２４１３号公報
　刊行物６：特開２００５−１４９１９７号公報
　刊行物７：特開２００５−９２４７２号公報
　
【第２】補正の却下の決定（当審の判断）
　
　平成２５年８月１６日付けの補正（以下「本件補正」という。）について次のとおり決定する。
　　
　《結論》
平成２５年８月１６日付けの補正を却下する。
　
　《理由》
　
【第２-１】本件補正の内容
　
　本件補正は特許請求の範囲についてする補正であり、補正前請求項１の記載を補正後請求項１とする補正を含んでおり、本件補正前および本件補正後の請求項１の記載は下記のとおりである。
　
　　　　　記（補正前、平成２５年３月１１日補正によるもの）
【請求項１】
入力を受け付けるタッチセンサと、
前記タッチセンサのタッチ面に対する押圧荷重を検出する荷重検出部と、
前記タッチ面を振動させる触感呈示部と、
前記荷重検出部により検出される押圧荷重が触感を呈示する基準を満たした際に、操作者がボタンを押したと錯覚するように前記触感提示部の駆動を制御する制御部と、
を有することを特徴とする入力装置。
　
　　　　　　記（補正後、補正部分をアンダーラインで示す。）
【請求項１】
入力を受け付けるタッチセンサと、
前記タッチセンサのタッチ面に対する押圧荷重を検出する荷重検出部と、
前記タッチ面を振動させる触感呈示部と、
前記荷重検出部により検出される押圧荷重が触感を呈示する基準を満たした際に、操作者がボタンを押し
込んだ
を有することを特徴とする入力装置。
　
【第２-２】本件補正の適否１（範囲、目的）
　
　〈補正の範囲（第１７条の２第３項）〉
　本件補正は、請求人の主張するとおり、当初明細書の段落【0018】-【0033】,【0088】等の記載を根拠とするものと認められ、願書に最初に添付した明細書、特許請求の範囲又は図面に記載した事項の範囲内においてする補正であるといえ、特許法第１７条の２第３項の規定に適合する。
　
　〈補正の目的（第１７条の２第５項）、シフト（第１７条の２第４項）〉
　本件補正は、補正前請求項１に記載のあった「操作者がボタンを押したと錯覚するように・・・駆動を制御する制御部」を「操作者がボタンを押し
込んだ
　したがって、本件補正は、特許法第１７条の２第５項第２号で規定する特許請求の範囲の減縮を目的とする補正に該当する。
　また、本件補正が、特許法第１７条の２第４項の規定に適合することは明らかである。
　
【第２−３】本件補正の適否２　独立特許要件（第１７条の２第６項）
　そこで、独立特許要件について検討するに、補正後請求項１に記載される発明は特許出願の際独立して特許を受けることができない。
　したがって、上記本件補正は、特許法第１７条の２第６項において準用する同法第１２６条第７項の規定に違反するので、同法第１５９条第１項において読み替えて準用する同法第５３条第１項の規定により却下すべきものである。
　
　本件補正後の請求項１に記載される発明（以下、「補正後発明」という。）が特許出願の際独立して特許を受けることができないとする理由の詳細は、以下のとおりである。
　
　《理由：独立特許要件に適合しない理由の詳細》
　　　
［１］補正後発明
　補正後発明１は、前記【第２-１】の補正後の【請求項１】のとおりである。
　
［２］引用刊行物の記載
　刊行物１：特開２００９−５３８５７号公報
　原査定の拒絶の理由で引用された原出願の出願前に頒布された刊行物である特開２００９−５３８５７号公報（上記刊行物１）には、以下の記載（下線は、注目箇所を示すために当審で施したものである。）が認められる。
　
　〈特許請求の範囲〉
【請求項１】
　外装ケースに変位可能な状態で収納された操作パネルと、
　該操作パネル部の裏側または下部に設けられ、前記操作パネル面に対する押圧操作の有無を検出する圧力検知機構と、
　
該圧力検知機構によって前記操作パネルに押圧力が印加されたことを検出すると、入力信号を作成する駆動制御部
　前期操作パネル、もしくは前記外装ケースの一端に取り付けられた振動発生装置とを有し、
　
前記力信号に応答して振動発生装置が前記操作パネル部に力学的な振動を与えるよう構成したことを特徴とする感圧式振動発生装置を備えたパネルモジュール
【請求項５】
　
前記振動発生機構は前記押し圧力が、所定の閾値を超えた時と、該閾値を下回った時、との２つのタイミングで前記操作パネル部に力学的な振動を与える
【請求項６】
　
前記操作パネルは表示パネルを有し
　
該表示パネルには複数のアイコンが表示可能
　どのアイコンが選択されているかを検出するアイコン検出手段を有し、
　前記駆動制御部は前記入力信号を複数種類発生可能に構成され、
　前記選択されたアイコンによって異なった前記入力信号を前記振動発生機構に与えることを特徴とする請求項１記載の感圧式振動発生装置を備えたパネルモジュール。
　
　〈技術分野、従来の技術〉　
【技術分野】
【０００１】
　本発明は、
感圧式振動発生装置を備えたパネルモジュール
【背景技術】
【０００２】
　
近年グラフィック・ユーザー・インターフェイスとしてキーボードよりも表示画面の当該箇所を直接押圧するタイプが好まれ始めている。
　このようなタイプではタッチパネルとかタッチパッドと呼ばれているパネルを表示パネルの上に重ね、該パネルの押された場所を検出して表示パネルのどの位置を押そうとしたのかを算出して処理を行っている
【０００３】
　この例として、金融機関の端末に用いられるシステムで、
表示パネルの上部にタッチパッドのような操作パネルを配置
　しかしこのような方式は機械的な精密さを保つ必要があるため携帯電話のような小型携帯機器には不向きという問題（が）あった。
【０００４】
　また使用感覚をよりよくするため例えば表示パネルの上にタッチパネルを一体化した操作パネルにアクチュエータを設け、操作パネルを押した動作に対し、
押した指に触覚を、すなわちアクチュエータによる振動を、フィードバックする
【０００５】
　さらに、同様の操作パネルを押した時、操作パネルの変位や振動で触覚をフィードバックするとともに、チャタリングによる誤動作を防止するため、操作パネルの変位量に応じてタイマー時間を設定し、該タイマーの計時中に押圧操作の終了タイミングを検出したときは、このタイミングをタイマーの終了時まで遅延させるという提案がある（例えば特許文献３参照）。
　しかしこの方式では、押し圧が閾値を越えた以降の操作者の押し具合が考慮されないので、例えば操作者が押し圧操作を終了しているのに振動が継続する等の、操作者と応答振動の感覚的なずれが生じやすい。このため誤作動もしくは操作の妨げになることがあった。
【０００６】
【特許文献１】特開平１１−２１２７２５
【特許文献２】実用新案登録第３０８５４８１号
【特許文献３】特開２００４−１９２４１３
　
　〈課題〉　
　【発明が解決しようとする課題】
【０００７】
　解決しようとする問題点は、従来提案されていた方式が
小型携帯機器には適さず、また操作者と応答振動の感覚的なずれが生じやすく
　
　〈発明の効果〉　
【発明の効果】
【００１４】
　本発明によれば、操作者の押し圧操作時間と操作者に帰還する振動の時系列が一致するため、すなわち操作者がパネルモジュールを押したタイミングと帰還される振動のタイミングとが一致しているので、
違和感のないクリック感のフィードバックが可能
　また
選択されたアイコンによって
クリック感を与える
　
　〈実施例１〉
【実施例１】
【００１６】
　図１は本発明による感圧式振動発生装置を備えたパネルモジュールの断面図である。
　１において、１８は操作パネルで、例えば液晶表示装置、有機ＥＬ表示装置のような平板な、いわゆるＦＰＤよりなる。２６は圧力検知機構で、操作パネル１８の裏側または下部に設けられ、操作パネル１８の上面に対する押圧操作の有無を検出し、例えば感圧シートよりなる。該感圧シートは、圧縮されると圧力を検知する、感圧導電ゴムや感圧抵抗体素子（ＦＳＲ：フォースセンシングレジスタ）など、押し圧に対する抵抗値等の何らかの電気的要素の変化を管理出来るもの、またはＰＶＤＦ等の圧電特性を有する高分子などよりなるものであればよい。
　また圧力検知機構２６の感圧シートは操作パネル１８が指１２により押される可能性のある場所の付近のみに、すなわち操作パネル１８よりも小さいものが配設されて原価低減に寄与している。
【００１７】
　操作パネル１８が押されると該パネル１８のたわみによって圧力検知機構２６が操作パネル１８によって押され、押されたことを検出することができる。２０は振動発生機構であるアクチュエーターで、操作パネル１８もしくは後述する外装ケース１４の一端に取り付けられ、ＰＺＴ等の圧電素子をもしくは、磁気駆動型のもので構成されている。該振動発生機構２０は例えば両面テープのような粘着材で操作パネル１８に固定されている。操作パネル１８に押圧力が印加されたことを圧力検知機構２６が検出すると、振動発生装置２０が操作パネル１８に力学的な振動を与える。
【００１８】
　なお圧力検知機構２６が操作パネル１８に押圧力が印加されたことを検出すると、図示されていないシステム内の駆動制御部が振動発生機構２０の入力信号を作成し、該入力信号に応答して振動発生装置２０が操作パネル１８に力学的な振動を与えるよう構成されている。
【００１９】
　２２は操作パネル１８と圧力検知機構２６との間に適度な隙間を設けるためのスペーサー、２４は圧力検知機構２６や振動発生機構２０が搭載される基板、１４が外装ケース、１６は操作パネル１８を外装ケース１４に変位可能な状態で収納するためのフィルム等の弾性材もしくはダンパー材である。
　なお以下の図において、同様の部材には同様の番号を付して説明を省略している。
【００２０】
　また
操作パネル１８は表示パネル上に透明なタッチパネルを置いた構造
が選択し得る
【００２１】
　
図２は操作パネル１８に対する押圧と振動発生装置２０に対する前記入力信号の関係を示した図で、図２（ａ）は該押圧と時間の関係
図２（ｃ）は振動発生装置２０に対する前記入力信号と時間の関係を示している
　図２（ａ）の縦軸は押圧、横軸は時間で、押圧は太線で示したように時間と共に上昇し最大値を保った後下降する特性となっている。
　図２（ｂ）の縦軸は感圧シートの抵抗値、横軸は時間で、感圧シートの抵抗値は太線で示したように、図２（ａ）で示した押圧に応答して、時間と共に下降し最小値を保った後上昇する特性となっている。
　ここで該抵抗値に図示のように閾値を設定すると、タイミングｔ１で抵抗値が該閾値を下回り、すなわち押し圧力が閾値を超え、タイミングｔ４で抵抗値が該閾値をこえる、すなわち押し圧力が閾値を下回る。
　図２（ｃ）の縦軸は振動発生装置への印加電圧、すなわち前記した入力信号で、横軸は時間である。
【００２２】
　
振動発生装置２０への電圧印加は押し圧力が閾値を超えた時、すなわちタイミングｔ１で図示のＰ１によって
タイミングでなされ、該電圧印加により振動発生装置２０が操作パネル１８に振動を与え、使用者は該振動をクリック感として感知することができる
　
印加電圧パルスＰ１，Ｐ２においては、実際には特定の周波数の信号をパルスの持続時間ｔｃの間振動発生装置２０に与えている
【００２３】
　このように本発明によれば操作パネルを押し始めたときと離したときに指にクリック感が伝わり、押し圧が閾値を越えた以降の操作者の押し具合が考慮されているので、操作パネルを長い時間押しても短い時間押しても離したことをクリック感で伝えることができる。
　
〈実施例〉
【実施例２】
【００２４】
　図３、４は本発明による感圧式振動発生装置を備えたパネルモジュールの第２の実施例を説明するための図で、図３は表示パネル上のアイコンを示した図である。
　
図３は表示パネルを有する操作パネル１８の平面図で、第２に実施例においては少なくとも２つのアイコン３０，３２が設けられ
【００２５】
　図４は第２の実施例を説明するブロック図で、特徴部のブロックのみを示している。
　
３４はアイコン検出手段でどのアイコンが選択されているかを検出する
４０は駆動制御部で圧力検知機構２６が操作パネルが押されたことを検知すると該検知信号に応答して少なくとも２つの入力信号作成手段、第１の入力信号作成手段３６と第２の入力信号作成手段３８とを起動させる
【００２６】
　第１と第２の入力信号は例えば周波数が異なる信号であり、それらの信号によって得られるクリック感が異なる。このような
入力信号は図２（ｃ）で示した印加電圧パルスＰ１，Ｐ２の内部に細線で示した信号に相当する
　すなわち本発明による感圧式振動発生装置を備えたパネルモジュールの第２の実施例においては
選択されたアイコンによって指に伝わるクリック感
　
［３］刊行物１に記載された発明（以下、「引用発明」という。）
　
　ア　刊行物１概要、引用発明認定の対象
　刊行物１は、「
感圧式振動発生装置を備えたパネルモジュール
違和感のないクリック感のフィードバックが可能
選択されたアイコンによって
クリック感を与える
　概要を請求項１，５、６とし、その実施例を実施例１(【0016】〜【0023】，図１，２)，実施例２（【0024】〜【0026】，図３，４)とするものが示されている。
　実施例１についての段落【0020】で「また
操作パネル１８は表示パネル上に透明なタッチパネルを置いた構造
　また、表示パネル上にアイコン表示しアイコンを選択する実施例２についての段落【0026】で「
入力信号は図２（ｃ）で示した印加電圧パルスＰ１，Ｐ２の内部に細線で示した信号に相当する
選択されたアイコンによって指に伝わるクリック感
　からすれば、実施例１（請求項１、５に対応する）において、「操作パネル」として「表示パネル上に透明なタッチパネルを置いた」ものであって、表示パネル上にアイコンを表示しこれを指で選択するようにしたものも認めることができ、そのようなものを基礎に刊行物記載の発明（以下、「引用発明」という。）を認定する。
　
　イ　パネルモジュールの構成
　パネルモジュールは、
「外装ケースに変位可能な状態で収納された操作パネルと、
　該操作パネル部の裏側または下部に設けられ、前記操作パネル面に対する
押圧操作の有無を検出する圧力検知機構
　
該圧力検知機構によって前記操作パネルに押圧力が印加されたことを検出すると、入力信号を作成する駆動制御部
　前期操作パネル、もしくは前記外装ケースの一端に取り付けられた振動発生装置とを有し、
　
前記力信号に応答して振動発生装置が前記操作パネル部に力学的な振動を与えるよう構成し
　また、「操作パネル１８は表示パネル上に透明なタッチパネルを置いた」ものであり（【0020】）、表示パネル上にアイコンを表示しこれを指で選択するようにしたものである。　
　以上から、パネルモジュールは、以下のものを有しているということができる。
　・表示パネル上に透明なタッチパネルを置いた操作パネルであって、表示パネル上にアイコンを表示しこれを指で選択するようにされる操作パネル（→引用発明のｑ）
　・前記操作パネル面に対する押圧操作の有無を検出する圧力検知機構（引用発明のｒ）
　・
該圧力検知機構によって前記操作パネルに押圧力が印加されたことを検出すると、入力信号を作成する駆動制御部
　・入
力信号に応答して前記操作パネル部に力学的な振動を与える振動発生装置
　
　ウ　振動発生（押し圧力、閾値）、クリック感
　「
振動発生機構は前記押し圧力が、所定の閾値を超えた時と、該閾値を下回った時、との２つのタイミングで前記操作パネル部に力学的な振動を与える
　具体的には、「圧力検知機構２６が操作パネル１８に押圧力が印加されたことを検出すると、図示されていないシステム内の
駆動制御部が振動発生機構２０の入力信号を作成し、該入力信号に応答して振動発生装置２０が操作パネル１８に力学的な振動を与える
　そして、「
図２は操作パネル１８に対する押圧
振動発生装置２０に対する前記入力信号
図２（ａ）は該押圧と時間の関係
図２（ｃ）は振動発生装置２０に対する前記入力信号と時間の関係を示している
　「
振動発生装置２０への電圧印加は押し圧力が閾値を超えた時、すなわちタイミングｔ１で図示のＰ１によって
タイミングでなされ、該電圧印加により振動発生装置２０が操作パネル１８に振動を与え、使用者は該振動をクリック感として感知することができる
　
印加電圧パルスＰ１，Ｐ２においては、実際には特定の周波数の信号をパルスの持続時間ｔｃの間振動発生装置２０に与えている
　以上からすれば、
　
駆動制御部
操作パネルに対する押し圧力が
閾値を超えた時
タイミングｔ１
パルス
の持続時間
ｔｃ
特定の周波数の信号
を振動発生装置に与え
振動発生装置が
使用者は該振動をクリック感として感知することができる
　
　そして、上記イでの検討結果を踏まえれば、
　・
操作パネルに対する押し圧力
　・また、
操作パネルに対する押し圧力
　・「
駆動制御部
圧力検知機構によって
操作パネルに
押
圧力
閾値を超えた時
タイミングｔ１
パルス
の持続時間
ｔｃ
特定の周波数の信号
を振動発生装置に与え
　
振動発生装置が
使用者は該振動をクリック感として感知することができる
　以上は明らかである。
　
　以上によれば、引用発明として、下記の発明を認定することができる（便宜上、ｐ〜ｕに分説しておく）。　
　
　　　　　　記（引用発明）　
ｐ：感圧式振動発生装置を備えたパネルモジュールであって、
ｑ：表示パネル上に透明なタッチパネルを置いた操作パネルであって、表示パネル上にアイコンを表示しこれを指で選択するようにされる操作パネルと、
ｒ：前記操作パネル面に対する押圧操作の有無を検出する圧力検知機構であって、操作パネルに対する押し圧力を検出する圧力検知機構と、
ｓ：駆動制御部であって、圧力検知機構によって検出した操作パネルに対する押し圧力が所定の閾値を超えた時（タイミングｔ１）、パルス（Ｐ１）の持続時間（ｔｃ）持続する特定の周波数の信号（図２(c)）を振動発生装置に与える駆動制御部と、
ｔ：前記信号（図２(c)）に応答して操作パネル部に力学的な振動を与える振動発生装置と、
　を有し、
ｕ：使用者は該振動をクリック感として感知することができるようにした
ｐ：モジュール
　
［４］補正後発明と引用発明との対比（対応関係）
　
（１）　補正後発明（構成要件の分説）
　補正後発明は，以下のように要件Ａ〜Ｅに分説することができる。　
　
　　　　　　記（補正後発明，分説）
Ａ　：入力を受け付けるタッチセンサと、
Ｂ　：前記タッチセンサのタッチ面に対する押圧荷重を検出する荷重検出部と、
Ｃ　：前記タッチ面を振動させる触感呈示部と、
Ｄ　：前記荷重検出部により検出される押圧荷重が触感を呈示する基準を満たした際に、操作者がボタンを押し込んだと錯覚するように前記触感提示部の駆動を制御する制御部と、
を有することを特徴とする
Ｅ　：入力装置。
　
（２）対比
　ア　要件Ｅ「入力装置」、要件Ａ「入力を受け付けるタッチセンサ」（を有する）、について
　引用発明のｑ「表示パネル上に透明なタッチパネルを置いた操作パネル」の「タッチパネル」は、「タッチセンサ」とも呼ばれるものであって、「使用者の入力を受け付ける」ためのものであるといえるから、補正後発明でいう「入力を受け付けるタッチセンサ」と相違しない。
　そして、引用発明の、ｑの「操作パネル」を有するｐ「感圧式振動発生装置を備えたパネルモジュール」が「入力装置」といいえることも明らかである。
　要件Ａ，Ｅにおいて、補正後発明と引用発明は相違しない。
　
　イ　要件Ｂ「前記タッチセンサのタッチ面に対する押圧荷重を検出する荷重検出部」について
　引用発明のｒの「圧力検知機構」は、
　「前記
操作パネル面に対する
操作パネルに対する押し圧力
タッチパネルに対する押し圧力
　したがって、かかる引用発明のｒ「前記操作パネル面に対する・・・圧力検知機構」は、上記要件Ｂの「前記タッチセンサの・・・荷重検出部」と相違しない。　
　
　ウ　要件Ｃ「前記タッチ面を振動させる触感呈示部」について
　引用発明のｔの「振動発生装置」は、
　「操作パネル部に力学的な振動を与える」ものであり、操作パネルを振動させた際、タッチパネルのタッチ面も振動することは明らかであるから、上記要件Ｃ「前記タッチ面を振動させる触感呈示部」と相違しない、
　
　エ　要件Ｄ「前記荷重検出部により検出される押圧荷重が触感を呈示する基準を満たした際に、操作者がボタンを押し込んだと錯覚するように前記触感提示部の駆動を制御する制御部」について
　
　エ-１　上記要件Ｄは、明細書の段落【0030】〜【0036】（特に【0033】「以上のことから、タッチセンサのようなプレート状のタッチ面を押圧する際、
図１に示すＡ点からＢ点までの荷重では、タッチ面を振動させずに、操作者に自発的に押下させて圧覚を刺激し、その状態で、Ｂ点において
振動させて触覚を刺激すれば
実際に押しボタンスイッチから測定された振動波形を操作者に呈示して触感を刺激すれば、操作者に対して図４の測定結果に係る押しボタンスイッチを操作した場合と同様のクリック触感を呈示することが可能となる
　「前記触感提示部の駆動を制御する制御部」が行う「駆動の制御」が、
　・駆動するのが（駆動するタイミングが）「前記荷重検出部により検出される押圧荷重が触感を呈示する基準を満たした際、」であるように制御すること、と、
　・駆動の態様が「操作者がボタンを押し込んだと錯覚するよう」な態様であるように制御すること、
　を特定するものと理解される。
　すなわち、
　上記要件Ｄは、
　Ｄ１：「前記触感提示部の駆動を制御する制御部」が行う「駆動の制御」が、「前記荷重検出部により検出される押圧荷重が触感を呈示する基準を満たした際に」、「前記触感提示部」を駆動するように制御すること、および、
　Ｄ２：該「駆動の制御」（「前記触感提示部の駆動を制御する制御部」が行う「駆動の制御」）が、駆動の態様が「
操作者がボタンを押し込んだと錯覚するよう
　を特定するものと理解される。
　
　エ-２　上記Ｄ１について
　引用発明のｓの「駆動制御部」は、「圧力検知機構によって検出した操作パネルに対する押し圧力が所定の閾値を超えた時（タイミングｔ１）、パルス（Ｐ１）の持続時間（ｔｃ）持続する特定の周波数の信号（図２(c)）を振動発生装置に与える」ものであるところ、
　かかる「駆動制御部」も「前記触感提示部（「振動発生装置」）の駆動を制御する制御部」といえることは明らかであり、
　その「所定の閾値」は、補正後発明（上記Ｄ、Ｄ１）でいう「前記荷重検出部により検出される押圧荷重が触感を呈示する基準」といい得るものであるから、
　引用発明の「駆動制御部」が行う「駆動の制御」（前記触感提示部の駆動を制御する制御部」が行う「駆動の制御」）は、「前記荷重検出部により検出される押圧荷重が触感を呈示する基準を満たした際に」、「前記触感提示部」を駆動するように制御すること、ということができる。
　したがって、引用発明も、上記Ｄ１を満たしている。
　
　エ-２　上記Ｄ２について
　
　（ア）『駆動の態様が「
操作者がボタンを押し込んだと錯覚するよう
　「操作者がボタンを押し込んだと錯覚する」とは、その字義及び要件Ｂからみて、具体的には、実際は（押しボタンスイッチのようには物理的に変位しない）タッチセンサを操作者が押下操作した際に、操作者が実際の「
ボタンを押し込んだと錯覚する
　そのような
駆動の態様
ボタンを押し込んだと錯覚する
ボタンを押し込んだ」と同様に感じられる
　また、要件Ｃ「前記タッチ面を振動させる触感呈示部」から、「駆動」は「
振動
　
　しかし、上記『駆動の態様が「
操作者がボタンを押し込んだと錯覚するよう
振動
ボタンを押し込んだと同様に感じられる
　
　そこで、これについて明細書の記載に照らし検討する。
　明細書には、「
ボタンを押し込んだと錯覚するよう
振動
ボタンを押し込んだと同様に感じられる
　
　〈明細書の記載〉
　【0003】このようなタッチセンサには、抵抗膜方式、静電容量方式、光学式等の種々の方式が知られている。しかしながら、いずれの方式のタッチセンサにおいても、指やスタイラスペンによるタッチ入力を受け付けるものであって、
タッチセンサ自体は、タッチされても、押しボタンスイッチのようには物理的に変位しない
【0013】かかる点に鑑みてなされた本発明の目的は、操作者がタッチセンサを操作した際に、
押しボタンスイッチを操作した場合と同様のリアルなクリック触感
【0016】
本発明によれば、タッチセンサへの押圧荷重が触感を呈示する基準を満たすと
タッチセンサのタッチ面が振動して、操作者に対してクリック触感が呈示され
タッチ面が振動
これにより、操作者に対して押しボタンスイッチを操作した場合と同様のリアルなクリック触感
【0033】以上のことから、
タッチセンサのようなプレート状のタッチ面を押圧する際、図１に示すＡ点からＢ点までの荷重では、タッチ面を振動させずに、操作者に自発的に押下させて圧覚を刺激し、その状態で、Ｂ点において、例えば、周波数１７０Ｈｚでタッチ面を約１周期分振動させて触覚を刺激すれば
振動波形を操作者に呈示して触感を刺激すれば
押しボタンスイッチを操作した場合と同様のクリック触感
【0034】
以上の原理に基づく
押圧荷重が入力を受け付ける所定の基準を満たすまでは圧覚を刺激し
所定の基準を満たした際に、振動部により所定の駆動信号、すなわち一定周波数、駆動時間である周期（波長）、波形、振幅、でタッチ面を振動させて触覚を刺激する
【0035】また、ヒトが押しボタンスイッチを操作すると、押下時のみならず、リリース時においても、図４に示したように、指に押しボタンスイッチからの触感刺激が与えられる。そこで、本出願人の先の発明に係る入力装置においては、リリース時にも操作者にクリック触感（以下、リリース時のクリック触感を、適宜、リリース触感とも言う）を呈示する。これにより、操作者に対して、
押しボタンスイッチを押下した場合と同様のリアルなクリック触感
【0036】以下、上述した
原理に基づく本発明の実施の形態
【0037】本発明は、タッチセンサが入力を受け付ける動作とは独立して押圧荷重を検出して、タッチセンサを振動させて、
タッチセンサの操作者に対して押しボタンスイッチを押下した場合と同様のリアルなクリック触感
操作者に違和感のないリアルなクリック触感
【0044】さらに、制御部１５は、荷重検出部１２により検出される押圧荷重が、タッチセンサ１１の押圧によって増加しながら触感を呈示する基準（第１の基準）を満たしたのを検出すると（ステップＳ７０３）、触感呈示部１３を所定の駆動信号で駆動して、タッチセンサ１１を予め設定した
所定の振動パターンで振動させてクリック触感を呈示する
【0046】また、
ステップＳ７０４で触感呈示部１３を駆動する所定の駆動信号、すなわち触覚を刺激する一定周波数、周期（波長）、波形、振幅は、呈示するクリック触感に応じて適宜設定すればよい
リアルなクリック触感
【0049】このように、本実施の形態に係る入力装置は、荷重検出部１２で検出されるタッチセンサ１１に加わる荷重が、触感を呈示する基準（第１の基準）を満たすまでは圧覚を刺激するようにし、基準を満たすと、触感呈示部１３を所定の駆動信号で駆動してタッチ面１１ａを所定の振動パターンで振動させて触覚を刺激する。これにより、操作者に対してクリック触感を呈示して、当該入力操作が完了したことを認識させる。したがって、操作者は、
押しボタンスイッチ（プッシュ式ボタンスイッチ）のようなボタンスイッチがタッチセンサ上部に描画されていても、タッチセンサ１１を、押しボタンスイッチを操作した場合と同様のリアルなクリック触感を得ながら、入力操作を行うことができるので、違和感を覚えることがない
　
　そして、特に、上記【0016】【0033】〜【0037】によれば、
　補正後発明は、操作者がタッチ面を押圧操作する際、
押圧荷重が入力を受け付ける所定の基準を満たすまでは圧覚を刺激し
所定の基準を満たした際に、タッチ面を振動さ
押しボタンスイッチを操作した場合と同様のリアルなクリック触感を呈示
　このことからすれば、
　上記『駆動の態様が「操作者がボタンを押し込んだと錯覚するよう」な態様』（『
振動
ボタンを押し込んだと同様に感じられる
　『駆動の態様が“
操作者がボタンを操作した場合と同様なクリック触感を与えるように振動する
　
　以上をまとめれば、上記Ｄ２は、
　「駆動の制御」が、『駆動の態様が“
操作者がボタンを操作した場合と同様なクリック触感を与えるように振動する
　
　なお、上記〈明細書の記載〉には、実施の形態としては、
振動する態様
例えば
　補正後請求項１は、それらの具体的内容を特定していない以上、補正後発明が特定し要求する技術思想は、それら個々の実施の形態のいずれに限定されるものではなく、
　上記のとおり、『駆動の態様が「
操作者がボタンを押し込んだと錯覚するよう
操作者がボタンを操作した場合と同様なクリック触感を与えるように振動する
　
　（イ）対比
　上記Ｄ２は、上記のとおり、「駆動の制御」が、『駆動の態様が“
操作者がボタンを操作した場合と同様なクリック触感を与えるように振動する
　
　引用発明はｓで「圧力検知機構によって検出した操作パネルに対する押し圧力が所定の閾値を超えた時（タイミングｔ１）」、「駆動制御部」は、「パルス（Ｐ１）の持続時間（ｔｃ）持続する特定の周波数の信号（図２(c)）を振動発生装置に与え」、
　「振動発生装置」は、この「信号（図２(c)）に応答して操作パネル部に力学的な振動を与え」（引用発明のｔ）、「使用者は該振動を
クリック感として感知することができる
　かかる「
クリック感
クリック触感
　したがって、引用発明の「駆動制御部」が行う駆動の制御は、『駆動の態様が“
クリック触感を与えるように振動する
　もっとも、引用発明では、その「
クリック触感
操作者がボタンを操作した場合と同様なクリック触感
　
　エ-３　まとめ（要件Ｄ）
　以上によれば、
　補正後発明と引用発明とは、
　「前記触感提示部の駆動を制御する制御部」が行う「駆動の制御」が
　・「前記荷重検出部により検出される押圧荷重が触感を呈示する基準を満たした際に」、「前記触感提示部」を駆動するように制御すること、であり、
　・駆動の態様が“
クリック触感を与えるように振動する
　補正後発明の要件Ｄの特定の仕方でいえば、すなわち、
　「前記荷重検出部により検出される押圧荷重が触感を呈示する基準を満たした際に」、“
クリック触感を与えるように振動する態様であるように
　もっとも、その“
クリック触感を与えるように振動する態様であるように
操作者がボタンを押し込んだと錯覚するように
操作者がボタンを操作した場合と同様なクリック触感を与えるように振動する態様であるように
　
　オ　一致点・相違点
　したがって、補正後発明と引用発明の一致点及び相違点は次のとおりである。
　
　［一致点］
　Ａ　入力を受け付けるタッチセンサと、
　Ｂ　前記タッチセンサのタッチ面に対する押圧荷重を検出する荷重検出部と、
　Ｃ　前記タッチ面を振動させる触感呈示部と、
　Ｄ’前記荷重検出部により検出される押圧荷重が触感を呈示する基準を満たした際に、
クリック触感を与えるように振動する態様であるように
　Ｅ　入力装置。
　
　［相違点］
　「
クリック触感を与えるように振動する態様であるように
　補正後発明では、
　「操作者がボタンを押し込んだと錯覚するように」（「操作者がボタンを操作した場合と同様なクリック触感を与えるように振動する態様であるように」を含む）、とするのに対して、
　引用発明では、そのようにはしていない点。
　
［５］相違点等の判断　
　
（１）［相違点の克服］
　引用発明を出発点とし、
　引用発明の、
クリック触感を与えるように振動する態様であるように
　「操作者がボタンを操作した場合と同様なクリック触感を与えるように振動する態様であるように」前記触感提示部の駆動を制御する制御部とすることで、「操作者がボタンを押し込んだと錯覚するように」前記触感提示部の駆動を制御する制御部とすることとなり（以下、［相違点の克服］という）、上記［相違点］は克服され、補正後発明に到達する。
　
（２）［相違点の克服］の容易想到性の判断
　〈周知技術〉
　一般に、表示部に重ねたタッチパネル（タッチセンサ）を有する入力装置において、表示部に操作者が選択する「ボタン」を表示することは周知慣用にすぎない。
　また、かかる入力装置において、操作者が表示部に
表示されたボタン
機械式）ボタン
　これには、例えば、査定で引用された下記周知例１，２を含め、下記周知例が参照される。
　　　　　　　　　　　記（周知例）
・周知例１：特開２００４−７０９２０号公報
　｛【0055】,【0059】，【0065】、図１４，図１８（Ｓ３９：ボタンプッシュ時のクリック振動を発生する）等｝　
・周知例２：特開２００５−１４９１９７号公報
　｛【0002】，【0003】，【0050】，【0051】、図５等｝
・特表２００８−５１６３４８号公報
　｛請求項１，２，３１，【0055】〜【0061】、図１０，図１１等｝
・特開２００９−３７１６号公報
　｛【0005】，【0024】〜【0025】，【0029】等｝
・特開２００７−９４９９３号公報
　｛【0002】，【0003】等｝
　
　〈容易想到性の判断〉　
　上記周知慣用技術からすれば、刊行物１に接した当業者が、引用発明の、表示パネル上のアイコン表示をボタン表示とする動機付けは十分あるといえ、その際、引用発明の「
クリック触感を与えるように振動する態様
操作者がボタンを操作した場合と同様な
　そして、そのようにすれば、「操作者がボタンを押し込んだと錯覚するように」前記触感提示部の駆動を制御する制御部とすること、となり、上記［相違点の克服］がなされることとなる。
　したがって、上記［相違点の克服］は、当業者が容易に想到し得ることである。
　
（３）まとめ
　以上、引用発明を出発点として、上記［相違点の克服］をして本願発明に到達することは、当業者が容易に想到し得たことである。　
　
［６］小活
　以上によれば、補正後の請求項１に係る発明は、上記刊行物１に記載された発明及び周知事項に基づいて、当業者が容易に発明をすることができたものであるから、特許法第２９条第２項の規定により特許出願の際独立して特許を受けることができない。　
　
【第３】査定の当否（当審の判断）
［１］本願発明
　平成２５年８月１６日付けの補正は上記のとおり却下する。　
　本願の請求項１に係る発明（以下、「本願発明」という。）は下記の通りである。　
　　　　　　　記（本願発明（請求項１））
入力を受け付けるタッチセンサと、
前記タッチセンサのタッチ面に対する押圧荷重を検出する荷重検出部と、
前記タッチ面を振動させる触感呈示部と、
前記荷重検出部により検出される押圧荷重が触感を呈示する基準を満たした際に、ボタンを押したと錯覚するように前記触感提示部の駆動を制御する制御部と、
を有することを特徴とする入力装置。
　
［２］引用刊行物の記載、引用発明、対比　
　原査定の拒絶の理由に引用された刊行物である特開２００９−０５３８５７号公報（上記刊行物１に同じ）には、前記「【第２-３】［３］」で認定したとおりの引用発明が認められ、　
　本願発明と引用発明との対応については、前記「【第２-３】［４］補正後発明と引用発明との対応」を援用する。　
　
［３］一致点、相違点　
　本願発明は、前記補正後発明における「ボタンを押し込んだ」が、「ボタンを押した」であるものである。
　したがって、［本願発明と引用発明との一致点］は、前記【第２−３】［４］で示した［一致点］と同じであり、
　［本願発明と引用発明との相違点］は、前記【第２−３】［４］で示した［相違点］（補正後発明と引用発明との相違点）において、「押し込んだ」を「押した」と変更したものとなる。
　つまり、［本願発明と引用発明との一致点］と［本願発明と引用発明との相違点］は、次のようになる。
　
［本願発明と引用発明との一致点］
　前記［補正後発明と引用発明との一致点］と同じである。
　
［本願発明と引用発明との相違点］
　「
クリック触感を与えるように振動する態様であるように
　本願発明では、
　「操作者がボタンを
押した
　引用発明では、そのようにはしていない点。
　
［４］相違点等の判断（容易想到性の判断）　
　前記「【第２-３】［５］」でした判断（補正後発明と引用発明との相違点等の判断）と同じである。
　
［５］まとめ（本願発明）　
　本願発明は、上記刊行物１に記載された発明及び周知事項に基づいて、当業者が容易に発明をすることができたものである。　
　
【第４】むずび
　以上のとおりであるから、本願の請求項１に係る発明は、上記刊行物１に記載された発明及び周知事項に基づいて、当業者が容易に発明をすることができたものであり、特許法第２９条第２項の規定により特許を受けることができない。　
　したがって、本願の他の請求項について特に検討するまでもなく、本願は拒絶をすべきものである。　
　よって、結論のとおり審決する。